(57)【特許請求の範囲】
【請求項１】
左右の袖を有する介護用上着において、
前記左右の袖の少なくとも一方には、首周り端から袖先端まで通じる切れ目が入っており、
前記切れ目の開閉を行うために、下止が袖先端側に位置するように前記切れ目に沿って設置された止製品のスライドファスナーであって、全長が前記切れ目よりも長く、余剰部分が袖先端側に飛び出してフリーになっているスライドファスナーを備えることを特徴とする介護用上着。
【請求項２】
前記左右の袖の両方に前記切れ目が入っており、前記スライドファスナーが両袖にそれぞれ設置されていることを特徴とする請求項１記載の介護用上着。
【請求項３】
前記介護用上着の前面には、首周り端から上着下端まで通じる切れ目がさらに入っており、前側も開閉可能になっていることを特徴とする請求項１又は２記載の介護用肌着。
【発明の詳細な説明】
【技術分野】
【０００１】
本発明は、人体に着用する上着に関し、特に、被介護者が身につけるのに適した介護用上着に関する。
【背景技術】
【０００２】
被介護者の体を洗ったり、介護者に点滴や注射を行ったりするためには被介護者の衣服を脱がせる必要があるが、通常の衣服を着ていると、脱がせるのに非常に手間がかかり、介護を行う人には重労働になってしまうと共に、被介護者にも不快感を与えてしまう。
【０００３】
このため、従来から、前面を開きやすく構成した介護用の衣服が提供されており、下記特許文献１乃至４に開示されている。引用文献１及び４に開示された介護用衣服によれば、ズボンの前側を大きく開放したり、上着の前側を大きく開放したりすることで、被介護者の体に容易にアクセスすることができる。
【０００４】
しかし、引用文献３に開示された介護用衣服は、上着の袖の部分は通常の上着と同じ構造であるため、被介護者の上着を脱がせたり、腕を完全に露わにしたりするためには、被介護者の両腕を上着の袖から抜く必要があり、被介護者が寝たきりのケース等では非常に手間がかかる。
【０００５】
一方、引用文献２及び４には、腕の部分も含めて前側を全て開放可能な介護用衣類が開示されており、このような構造の介護用衣類であれば、袖の部分を開放することで、容易に上着を脱がせることも可能である。
【先行技術文献】
【特許文献】
【０００６】
【特許文献１】特開平１１−１１７１０２号公報
【特許文献２】特開２００５−２２６１７７号公報
【特許文献３】実用新案登録第３０７８６８０号公報
【特許文献４】実開平６−２２３１７号公報
【発明の概要】
【発明が解決しようとする課題】
【０００７】
しかし、引用文献２及び４に開示された介護用衣類では、袖の部分も含めて完全に開いてから再度閉じる場合に、一つ一つ合わせるボタン同士を掴んで留める必要があり、脱がすのは楽でも着せるのに手間がかかってしまう。
【０００８】
被介護者は、服を着せたり点滴をしたりする際に嫌がって動くことが多く、留めるボタン同士を合わせる作業は困難である。特に、風呂上がり等、被介護者が汗をかいている場合には、肌と衣類とがくっついて衣類がずれやすく、上着の袖の部分を開放した後に閉じようとしても、留める場所をつなぎ合わせるのは非常に困難となる。
【０００９】
本発明は、このような課題に鑑みてなされたものであり、袖の部分の開閉を容易に行うことができる介護用上着を提供することを目的とする。
【課題を解決するための手段】
【００１０】
上記課題を解決するために、本発明に係る介護用上着は、左右の袖を有する介護用上着において、前記左右の袖の少なくとも一方には、首周り端から袖先端まで通じる切れ目が入っており、前記切れ目の開閉を行うために、下止が袖先端側に位置するように前記切れ目に沿って設置された止製品のスライドファスナーであって、全長が前記切れ目よりも長く、余剰部分が袖先端側に飛び出してフリーになっているスライドファスナーを備えることを特徴とする。
【発明の効果】
【００１１】
本発明に係る介護用上着によれば、袖の部分を容易に開閉することができ、介護を行う者の負担を軽減すると共に、被介護者の苦痛も和らげることができる。
【図面の簡単な説明】
【００１２】
【図１】図１は、本発明の実施形態に係る介護用肌着の左右袖スライドファスナーの余剰部分を広げた状態を示す正面図である。
【図２】図２は、本発明の実施形態に係る介護用肌着の左右袖スライドファスナーの余剰部分を畳んで袖に留めた状態を示す正面図である。
【図３】図３は、本発明の実施形態に係る介護用肌着の全てのスライドファスナーを全開し、肌着を広げた状態を示す正面図である。
【発明を実施するための形態】
【００１３】
以下、図面を参照しながら、本発明の実施形態に係る介護用上着について説明する。本実施形態では、上着として直接肌に密着して着る半袖肌着を例に挙げて説明する。図１は、本実施形態に係る介護用肌着の左右袖スライドファスナーの余剰部分を広げた状態を示す正面図である。
【００１４】
また、図２は、本実施形態に係る介護用肌着の左右袖スライドファスナーの余剰部分を畳んで袖に留めた状態を示す正面図である。図３は、本実施形態に係る介護用肌着の全てのスライドファスナーを全開し、肌着を広げた状態を示す正面図である。
【００１５】
図１〜図３に示すように、介護用肌着１は、肌着本体１０、開製品（オープンファスナー）の前面スライドファスナー２０、止製品の左袖スライドファスナー３０、止製品の右袖スライドファスナー４０を備えている。
【００１６】
肌着本体１０は、通常の半袖丸首シャツの肌着と同様の形状をしているが、前面中央には首周り端から下端まで直線状に切れ目が入っており、この切れ目を境に肌着本体１０の前面を左右に開いて内部を完全に開放することができる。
【００１７】
また、肌着本体１０の左袖前面の首周り端から左袖先端にかけても略水平な直線状切れ目が入っており、さらに、右袖前面の首周り端から右袖先端にかけても略水平な直線状切れ目が入っている。よって、肌着本体１０の両袖は、これらの切れ目により、それぞれ上下に開いて袖内部を完全に開放することができる。
【００１８】
また、肌着本体１０の左右袖前面の切れ目の上下部分であって、真ん中より若干首周り側の部分には、計四つの面ファスナー１２がそれぞれ設置されている。
【００１９】
前面スライドファスナー２０は、左右対になった一組のテープ（基材）２２、両テープ２２に多数並べて取り付けられた同じく左右対の一組のエレメント（務歯）２１、この一組のエレメントを噛み合わせたり離したりするためにテープ２２に沿って移動するスライダ２４を備えている。
【００２０】
また、前面スライドファスナー２０は、各テープ２２が切れ目の各縁に縫い付けられることで、肌着本体１０の前面中央の切れ目の部分に沿って設置される。前面スライドファスナー２０の上端に設けられた上止は左右のテープ２２に別々に取り付けられており、左右のエレメント２１が離れているときには左右のテープ２２も分かれることができる。
【００２１】
一方、開製品である前面スライドファスナー２０の下端には、箱、箱棒及び蝶棒からなる開具が設けられており、スライダ２４を下端に移動させて蝶棒が箱から抜けると、下端においても左右のテープ２２が完全に分かれることができる。
【００２２】
左袖スライドファスナー３０は、左右対になった一組のテープ３２、両テープに多数並べて取り付けられた同じく左右対の一組のエレメント３１、スライダ３４、下止３６、面ファスナー３７を備えている。
【００２３】
また、止製品である左袖スライドファスナー３０は、上止が首周り側、下止３６が袖先端側に位置するように、肌着本体１０の左袖前面の切れ目に沿って設置されている。ここで、左袖スライドファスナー３０の全長は、肌着本体１０の左袖前面の切れ目の長さよりも20cm程度長くなっており、左袖スライドファスナー３０の下端側は、この余剰部分の長さだけ、肌着本体１０の左袖先端よりも飛び出してフリーの状態になっている。
【００２４】
左袖スライドファスナー３０の上端（首周り端）に設けられた上止は、前面スライドファスナー２０の上止と同様の構成であり、左右のエレメント３１が離れるときには、左右のテープ３２も分かれることができる。一方、左袖スライドファスナー３０の下端（袖先端側）に設けられた下止３６は、常に左右のテープ３２を繋ぎ止めている。よって、スライダ３４が下止３６までスライドすると、下止３６によってスライダ３４が止まり、これ以上ファスナー３０が開かなくなる。
【００２５】
したがって、左袖スライドファスナー３０のスライダ３４を上止側に寄せてファスナー３０を閉めた状態では、肌着本体１０の左袖前面の切れ目は完全に閉じた状態となり、スライダ３４を下止側に寄せてファスナー３０を開いた状態では、切れ目が完全に開いた状態となる。但し、図３に示すように、左袖スライドファスナー３０を開いた状態でも左右のテープ３２の袖先端側は下止３６によりつながった状態となっている。
【００２６】
右袖スライドファスナー４０は、左袖スライドファスナー３０と同様の構成であり、一組のテープ４２、一組のエレメント４１、スライダ４４、下止４６、面ファスナー４７を備えている。
【００２７】
本実施形態では、左袖スライドファスナー３０と右袖スライドファスナー４０を閉じた状態で、左袖スライドファスナー３０の面ファスナー３７を肌着本体１０の左袖部の面ファスナー１２に、右袖スライドファスナー４０の面ファスナー４７を肌着本体１０の右袖部の面ファスナー１２に貼り付けることで、図２に示すように、スライドファスナー３０，４０の余剰部分を肌着本体１０に対して固定して、邪魔にならないようにすることができる。
【００２８】
以上、本実施形態に係る介護用肌着１の構成について詳細に説明したが、続いて、介護用肌着１を着た状態から袖の部分を開いて、再度閉じる際の作用について説明する。まず、被介護者が介護用肌着１を着た状態では、図２に示すように、全てのスライドファスナー２０，３０，４０が閉じられ、面ファスナー１２，３７，４７により左右袖スライドファスナー３０，４０が留められた状態となっている。
【００２９】
この状態から、被介護者の左腕全体を露出させる際には、まず、左袖側の面ファスナー３７と面ファスナー１２とを外して、図１に示すように、左袖スライドファスナー３０を広げた状態とする。
【００３０】
続いて、ファスナー３０が閉じているため上止の位置にあるスライダ３４を下止３６に向けてスライドさせる。スライダ３４が左袖前面切れ目の左袖先端部１４ａ，１４ｂまで到達すると、左袖前面切れ目は開いた状態となるが、左袖から飛び出した余剰部分のファスナー３０は閉じているため、上側左袖先端部１４ａと下側左袖先端部１４ｂとは接近したまま離れることができない。
【００３１】
スライダ３４をさらにスライドさせ、スライダ３４が下止３６に到達すると、図３に示すように、左袖スライドファスナー３０は完全に開いた状態となり、左袖スライドファスナー３０の余剰部分の長さの二倍まで、上側左袖先端部１４ａと下側左袖先端部１４ｂとが離れることができ、左袖前面の切れ目も完全に開いた状態となる。
【００３２】
図３に肌着本体１０の左右の袖を完全に開いた状態を示している。このように左袖を開放すれば、介護を行う者等が被介護者の左腕に容易にアクセスすることができる。もちろん、右袖についても、左袖と同様な手順で完全に開くことが可能である。
【００３３】
次に、この開いた左袖を閉じる場合には、下止３６の位置にあるスライダ３４を掴んで上止に向けてスライドさせる。そうすると、下止３６側からファスナー３０が閉まるに従って、ファスナー３０に引っ張られて上側左袖先端部１４ａと下側左袖先端部１４ｂとが徐々に近づく。
【００３４】
スライダ３４が左袖先端部１４に達すると、上側左袖先端部１４ａと下側左袖先端部１４ｂとが接近し、左袖先端部１４においてもファスナー３０が閉じられる。このように、本実施形態によれば、開いた袖を閉じる際に、離れている袖先端部１４ａ，１４ｂを手探りで探して合わせる必要がなく、下止３６側からスライダ３４をスライドさせてファスナー３０を閉じていくだけで、勝手に端部１４ａ，１４ｂが近づいていくため、開いた袖を容易に閉じることができる。
【００３５】
スライダ３４を左袖先端部１４からさらに首周り部に向けてスライドさせ、スライダ３４が上止に到達すると、左袖スライドファスナー３０が完全に閉じ、左袖前面の切れ目も完全に閉じた状態となる。さらに、面ファスナー１２，３７を閉じれば、作業は終了する。
【００３６】
また、例えば寝たきりの被介護者に介護用肌着１を着せる際には、前面スライドファスナー２０、左右袖スライドファスナー３０，４０の全てを開き、前面中央の切れ目及び左右袖前面の切れ目を完全に開いた状態で肌着本体１０を大きく広げる。この広げた肌着本体１０の上に、被介護者に仰向けになってもらい、まず、被介護者の腕を開いた袖スライドファスナー３０，４０と袖先端縁との間の大きく開いた袖口５０に通す。
【００３７】
そして、スライドファスナー２０，３０，４０を順次閉めていけば、介護用肌着１を着せることができる。このとき、開製品である前面スライドファスナー２０を閉めるにあたっては、その下端の開具を合わせる必要があるため、手探りで左右の下端部を探して付き合わせる必要があり、多少手間がかかる。
【００３８】
一方、袖スライドファスナー３０，４０を閉めるにあたっては、上述したようにそれぞれのスライダ３４，４４をスライドさせて閉じるだけで、上下の袖先端部が勝手に近づいて合わされるので、手間がかからない。なお、左右の袖スライドファスナー３０，４０の色を異ならせておけば、区別が付き易く、作業手間をより軽減させることができる。
【００３９】
以上、本発明の実施形態について詳細に説明したが、本実施形態によれば、袖を開くための袖前面の切れ目に止製品のスライドファスナー３０，４０を設置すると共に、スライドファスナー３０，４０の全長を袖前面の切れ目よりも長くしているので、袖の開閉や、上着を着せる際の作業負担を格段に軽減させることができる。
【００４０】
特に、下着等の表裏の分かり難い上着の場合には、開いた袖端部を正確に合わせる作業は非常に困難であり、本実施形態により格段に作業負担を軽減させることができる。
【００４１】
なお、スライドファスナー３０，４０の余剰部分の長さは、上着着脱の際の腕を抜いたり通したりする作業を考慮すれば、10cm以上あることが望ましい。図３に示すように、開いた袖口５０は、閉じた状態よりも余剰部分長さの倍だけ広がり、袖口５０が大きければ作業が楽になるからである。通常の袖口よりも20cm以上広がれば、腕を通したり抜いたりする作業が格段に容易になる。
【００４２】
また、上記介護用肌着は、市販の肌着を改造することで容易に製造することができる。例えば、市販の肌着の前面中央に切れ目を入れて開製品のファスナーを取り付けると共に、両袖の前面に首周り部から袖先端までの切れ目を入れ、この切れ目よりも長い止製品のスライドファスナーを、上止が首周り部に位置するように切れ目部分に取り付ければ良い。
【００４３】
この場合、止製品のスライドファスナーとしては、市販されているスライドファスナーを適宜所望の長さに切断して用いることができる。この場合、袖先端側の下止は、切断したスライドファスナーの端部の両テープを縫い付けて両側エレメントが離れないようにすることで作成することもできる。すなわち、止製品の下止は、噛み合った両側エレメントが離れないように固定できる物であれば良い。
【００４４】
なお、本発明の実施の形態は、上記実施形態に限定されるものではなく、本発明の主旨を逸脱しない範囲内で種々の変形が可能である。例えば、上記実施形態では、介護用上着として半袖の肌着を例に挙げて説明したが、長袖上着であっても良いし、肌着以外の肌の上に直接着用しない上着であっても良いのは言うまでもない。
【００４５】
また、上記実施形態では、両袖に切れ目を入れているが、片方の腕だけを開放する頻度が高い場合等には、一方の袖にのみ切れ目を入れて、切れ目よりも長いスライドファスナー（止製品）を設置するようにしても良い。両袖に切れ目を入れた場合でも、片方には開製品のスライドファスナーを設置するようにしても良い。このような場合でも止製品のスライドファスナーを設けた袖側においては、上述した作用効果を奏することができる。
【００４６】
また、上記実施形態では、両袖の切れ目を袖の前面に形成したが、袖の上面や下面、背面に形成するようにしても良い。また、上記実施形態では、肌着前面を開くために、前面中央に縦に切れ目を入れてスライドファスナー（開製品）を設けているが、同じ切れ目を面ファスナー、ボタン、紐等で留めるようにしても良い。また、切れ目を入れる場所も適宜変更可能である。
【符号の説明】
【００４７】
１                介護用肌着
１０              肌着本体
２０              前面スライドファスナー（開製品）
３０，４０        袖スライドファスナー（止製品）
２１，３１，４１  エレメント
２２，３２，４２  テープ
２４，３４，４４  スライダ
３６，４６        下止
【図１】
0005116055.tif 000002
【図２】
0005116055.tif 000003
【図３】
0005116055.tif 000004